(57)【要約】  本件開示は、ドラムの外面を覆うターゲット素材例えばキセノンを有するレーザ生成プラズマ光源を指向している。諸実施形態は、そのドラムを回動させる軸受けシステムであり、ＬＰＰチャンバ内への汚染物質及び／又は軸受け気体の漏れを減らす構造を有するものを備える。そのドラム上にターゲット素材を被せ補充する注入システムが開示される。ターゲット素材の表面を円滑化する等、そのドラム上にあるターゲット素材の表面を整えるワイパシステムが開示される。ドラムとそのドラムに重なるハウジングを除熱し温度を保つシステムも開示される。
2019501413.tif 000002
【特許請求の範囲】
【請求項１】
ステータ体と、
ある軸周りで可回動であり、ドライブレーザによる照射を受けレーザ生成プラズマ（ＬＰＰ）チャンバ内にプラズマを発生させるプラズマ形成ターゲット素材で覆われた表面を有し、第１端から第２端へと延びる円筒対称要素と、
円筒対称要素の第１端をステータ体に連結し、軸受け気体流を成立させる気体軸受けアセンブリであり、その軸受け気体流が通流している第１空間内に遮断気体（barrier gas)を導入することでＬＰＰチャンバ内への軸受け気体の漏れを減らすシステムを有する気体軸受けアセンブリと、
円筒対称要素の第２端をステータ体に連結する第２軸受けアセンブリであり、当該第２軸受けに通流している第２空間内に遮断気体を導入することでその第２軸受けからＬＰＰチャンバ内への汚染物質の漏れを減らすシステムを有する第２軸受けアセンブリと、
を備える装置。
【請求項２】
請求項１に記載の装置であって、第２軸受けアセンブリが磁気軸受けであり、上記汚染物質がその磁気軸受けにて発生した汚染物を含む装置。
【請求項３】
請求項１に記載の装置であって、第２軸受けアセンブリがグリース封入軸受けであり、上記汚染物質がそのグリース封入軸受けにて発生した汚染物を含む装置。
【請求項４】
請求項１に記載の装置であって、第２軸受けアセンブリが気体軸受けアセンブリであり、上記汚染物質が軸受け気体である装置。
【請求項５】
請求項１に記載の装置であって、円筒対称要素がスピンドル上に実装されており、ＬＰＰチャンバ内への軸受け気体の漏れを減らす上記システムが、ステータ体及びスピンドルのうち一方にあり第１空間と通流しており且つ第１空間の第１部分から第１圧力にて軸受け気体を排出するよう構成されている第１環状溝と、ステータ体及びスピンドルのうち一方にあり第１空間と通流しており且つ第１空間の第２部分内へと第２圧力にて遮断気体を輸送するよう構成されている第２環状溝と、ステータ体及びスピンドルのうち一方にあり第１空間と通流しており上記軸に対し平行な軸方向において第１環状溝・第２環状溝間に位置する第３環状溝であり、第１空間の第３部分外に軸受け気体及び遮断気体を輸送することで上記第１圧力及び第２圧力より低い第３圧力を第３部分内に発生させるよう構成されている第３環状溝と、を有する装置。
【請求項６】
請求項１に記載の装置であって、円筒対称要素がスピンドル上に実装されており、ＬＰＰチャンバ内への汚染物質の漏れを減らす上記システムが、ステータ体及びスピンドルのうち一方にあり第１空間と通流しており且つ第１空間の第１部分から第１圧力にて汚染物質を排出するよう構成されている第１環状溝と、ステータ体及びスピンドルのうち一方にあり第１空間と通流しており且つ第１空間の第２部分内へと第２圧力にて遮断気体を輸送するよう構成されている第２環状溝と、ステータ体及びスピンドルのうち一方にあり第１空間と通流しており上記軸に対し平行な軸方向において第１環状溝・第２環状溝間に位置する第３環状溝であり、第１空間の第３部分外に上記汚染物質及び遮断気体を輸送することで上記第１圧力及び第２圧力より低い第３圧力を第３部分内に発生させるよう構成されている第３環状溝と、を有する装置。
【請求項７】
請求項１に記載の装置であって、更に、円筒対称要素の第１端に駆動ユニットを備え、その駆動ユニットが、上記軸に沿い円筒対称要素を並進させるリニアモータアセンブリと、その軸周りで円筒対称要素を回動させるロータリモータと、を有する装置。
【請求項８】
請求項１に記載の装置であって、プラズマ形成ターゲット素材がキセノンアイスである装置。
【請求項９】
請求項１に記載の装置であって、軸受け気体が、窒素、酸素、浄化空気、キセノン及びアルゴンで構成される気体の集合から選択されている装置。
【請求項１０】
請求項１に記載の装置であって、遮断気体が、キセノン及びアルゴンで構成される気体の集合から選択されている装置。
【請求項１１】
ステータ体と、
ある軸周りで可回動であり、ドライブレーザによる照射を受けレーザ生成プラズマ（ＬＰＰ）チャンバ内にプラズマを発生させるプラズマ形成ターゲット素材で覆われた表面を有し、第１端から第２端へと延びる円筒対称要素と、
上記要素の第１端をステータ体に連結する磁気液体ロータリシールと、
円筒対称要素の第２端をステータ体に連結する軸受けアセンブリであり、当該第２軸受けに通流している空間内に遮断気体を導入することで当該軸受けからＬＰＰチャンバ内への汚染物質の漏れを減らすシステムを有する軸受けアセンブリと、
を備える装置。
【請求項１２】
請求項１１に記載の装置であって、上記要素の第２端をステータ体に連結する軸受けアセンブリが磁気軸受けである装置。
【請求項１３】
請求項１１に記載の装置であって、上記要素の第２端をステータ体に連結する軸受けアセンブリがグリース封入軸受けである装置。
【請求項１４】
請求項１１に記載の装置であって、円筒対称要素がスピンドル上に実装されており、ＬＰＰチャンバ内への汚染物質の漏れを減らす上記システムが、ステータ体及びスピンドルのうち一方にあり上記空間と通流しており且つその空間の第１部分から第１圧力にて汚染物質を排出するよう構成されている第１環状溝と、ステータ体及びスピンドルのうち一方にあり上記空間と通流しており且つその空間の第２部分内へと第２圧力にて遮断気体を輸送するよう構成されている第２環状溝と、ステータ体及びスピンドルのうち一方にあり上記空間と通流しており上記軸に対し平行な軸方向において第１環状溝・第２環状溝間に位置する第３環状溝であり、上記空間の第３部分外に上記汚染物質及び遮断気体を輸送することで上記第１圧力及び第２圧力より低い第３圧力を第３部分内に発生させるよう構成されている第３環状溝と、を有する装置。
【請求項１５】
請求項１１に記載の装置であって、更に、円筒対称要素の第１端に駆動ユニットを備え、その駆動ユニットが、上記軸に沿い円筒対称要素を並進させるリニアモータアセンブリと、その軸周りで円筒対称要素を回動させるロータリモータと、を有し、更に、上記ステータに対する円筒対称要素の軸沿い並進を受容するベロウズを有する装置。
【請求項１６】
請求項１１に記載の装置であって、プラズマ形成ターゲット素材がキセノンアイスである装置。
【請求項１７】
請求項１１に記載の装置であって、軸受けアセンブリが気体軸受けアセンブリであり、上記汚染物質が軸受け気体である装置。
【請求項１８】
請求項１７に記載の装置であって、軸受け気体が、窒素、酸素、浄化空気、キセノン及びアルゴンで構成される気体の集合から選定されている装置。
【請求項１９】
請求項１１に記載の装置であって、遮断気体が、キセノン及びアルゴンで構成される気体の集合から選定されている装置。
【請求項２０】
ある軸周りで可回動であり、ドライブレーザによる照射を受けプラズマを生成するプラズマ形成ターゲット素材の帯で覆われた表面を有する円筒対称要素と、
円筒対称要素上にプラズマ形成ターゲット素材を補充するサブシステムと、
円筒対称要素上のプラズマ形成ターゲット素材を削ぎ均一厚みのプラズマ形成ターゲット素材を築くよう配置された鋸歯状ワイパと、
を備える装置。
【請求項２１】
請求項２０に記載の装置であって、ドライブレーザがパルスドライブレーザであり、最大直径Ｄを有するクレータがパルス照射を経て円筒対称要素上のプラズマ形成ターゲット素材中に生じ、鋸歯状ワイパが少なくとも２本の歯を有し、その歯が上記軸に平行な方向に沿いＬ＞３＊Ｄなる長さＬを有する装置。
【請求項２２】
請求項２０に記載の装置であって、更に、
上記表面に重なっており、ドライブレーザによる照射にプラズマ形成ターゲット素材をさらすための開口が形成されているハウジングと、
ハウジング・プラズマ形成ターゲット素材間シールを成立させるワイパと、
を備える装置。
【請求項２３】
ある軸周りで可回動であり、プラズマ形成ターゲット素材の帯で覆われた表面を有する円筒対称要素と、
円筒対称要素上にプラズマ形成ターゲット素材を補充するサブシステムと、
円筒対称要素上のプラズマ形成ターゲット素材を削ぎ均一厚みのプラズマ形成ターゲット素材を築くよう配置されたワイパと、
上記表面に重なっており、ドライブレーザによる照射にプラズマ形成ターゲット素材をさらしプラズマを生成させるための開口が形成されているハウジングと、
ワイパをハウジングに装着するため、並びにそのハウジングを円筒対称要素に対し動かすことなくワイパを交換可能にするための実装システムと、
を備える装置。
【請求項２４】
ある軸周りで可回動であり、プラズマ形成ターゲット素材の帯で覆われた表面を有する円筒対称要素と、
円筒対称要素上にプラズマ形成ターゲット素材を補充するサブシステムと、
ワイパエッジにて円筒対称要素上のプラズマ形成ターゲット素材を削ぎ均一厚みのプラズマ形成ターゲット素材を築くよう配置されたワイパと、
上記表面に重なっており、ドライブレーザによる照射にプラズマ形成ターゲット素材をさらしプラズマを生成させるための開口が形成されているハウジングと、
ワイパエッジ・上記軸間の径方向距離を調整する調整システムでありハウジングの露出面上にアクセスポイントを有する調整システムと、
を備える装置。
【請求項２５】
ある軸周りで可回動であり、プラズマ形成ターゲット素材の帯で覆われた表面を有する円筒対称要素と、
円筒対称要素上にプラズマ形成ターゲット素材を補充するサブシステムと、
ワイパエッジにて円筒対称要素上のプラズマ形成ターゲット素材を削ぎ均一厚みのプラズマ形成ターゲット素材を築くよう配置されたワイパと、
上記表面に重なっており、ドライブレーザによる照射にプラズマ形成ターゲット素材をさらしプラズマを生成させるための開口が形成されているハウジングと、
ワイパエッジ・上記軸間の径方向距離を調整する調整システムであり制御信号に応じワイパを動かすアクチュエータを有する調整システムと、
を備える装置。
【請求項２６】
ある軸周りで可回動であり、プラズマ形成ターゲット素材の帯で覆われた表面を有する円筒対称要素と、
円筒対称要素上にプラズマ形成ターゲット素材を補充するサブシステムと、
ワイパエッジにて円筒対称要素上のプラズマ形成ターゲット素材を削ぎ均一厚みのプラズマ形成ターゲット素材を築くよう配置されたワイパと、
ワイパエッジ・上記軸間の径方向距離を示す信号を出力する計測システムと、
を備える装置。
【請求項２７】
請求項２６に記載の装置であって、計測システムが発光器及び光センサを備える装置。
【請求項２８】
ある軸周りで可回動であり、プラズマ形成ターゲット素材の帯で覆われた表面を有する円筒対称要素と、
円筒対称要素上にプラズマ形成ターゲット素材を補充するサブシステムと、
ワイパマウントと、
ワイパマウントを整列させるマスタワイパと、
ワイパエッジにて円筒対称要素上のプラズマ形成ターゲット素材を削ぎ均一厚みのプラズマ形成ターゲット素材を築くよう整列済ワイパマウント内に配置可能な稼働ワイパと、
を備える装置。
【請求項２９】
ある軸周りで可回動であり、ドライブレーザによる照射を受けプラズマを生成するプラズマ形成ターゲット素材の帯で覆われた表面を有する円筒対称要素と、
円筒対称要素上にプラズマ形成ターゲット素材を補充するサブシステムと、
第１個所にて円筒対称要素上のプラズマ形成ターゲット素材を拭い均一厚みのプラズマ形成ターゲット素材を築く第１加熱ワイパと、
円筒対称要素を挟み第１個所とは径方向逆側にある第２個所にて円筒対称要素上のプラズマ形成ターゲット素材を拭い均一厚みのプラズマ形成ターゲット素材を築く第２加熱ワイパと、
を備える装置。
【請求項３０】
請求項２９に記載の装置であって、第１及び第２加熱ワイパが柔順(compliant)素材製の接触面を有する装置。
【請求項３１】
請求項２９に記載の装置であって、更に、第１加熱ワイパの温度を示す第１信号を出力する第１熱電対と、第２加熱ワイパの温度を示す第２信号を出力する第２熱電対と、を備える装置。
【請求項３２】
ある軸周りで可回動であり、キセノンターゲット素材の帯で覆われた表面を有する円筒対称要素と、
キセノンターゲット素材を７０ケルビン未満の温度まで可制御的に冷やすことで円筒対称要素上の均一なキセノンターゲット素材層を保つクリオスタットシステムと、
を備える装置。
【請求項３３】
請求項３２に記載の装置であって、クリオスタットシステムが液体ヘリウムクリオスタットシステムである装置。
【請求項３４】
請求項３２に記載の装置であって、更に、
円筒対称要素内に位置し円筒対称要素の温度を示す出力をもたらすセンサと、
そのセンサの出力に応じ円筒対称要素の温度を制御するシステムと、
を備える装置。
【請求項３５】
請求項３４に記載の装置であって、そのセンサが熱電対である装置。
【請求項３６】
請求項３２に記載の装置であって、更に、排出された冷却剤をリサイクルに備え冷やす冷却装置を備える装置。
【請求項３７】
ある軸周りで可回動で中空であり、プラズマ形成ターゲット素材の帯で覆われた表面を有する円筒対称要素と、
円筒対称要素内に回動配置されており円筒対称要素の温度を示す出力をもたらすセンサと、
そのセンサの出力に応じ円筒対称要素の温度を制御するシステムと、
を備える装置。
【請求項３８】
請求項３７に記載の装置であって、更に、上記キセノンターゲット素材を７０ケルビン未満の温度まで可制御的に冷やすことで円筒対称要素上の均一なキセノンターゲット素材層を保つ液体ヘリウムクリオスタットシステムを備える装置。
【請求項３９】
請求項３７に記載の装置であって、そのセンサが熱電対である装置。
【請求項４０】
請求項３７に記載の装置であって、更に、排出された冷却剤をリサイクルに備え冷やす冷却装置を備える装置。
【請求項４１】
ある軸周りで可回動で中空であり、プラズマ形成ターゲット素材の帯で覆われた表面を有する円筒対称要素と、
閉ループ流路内を循環する冷却流体を有し、プラズマ形成ターゲット素材を冷やすべくその流路が円筒対称要素内へと延設されている冷却システムと、
を備える装置。
【請求項４２】
請求項４１に記載の装置であって、更に、
円筒対称要素内に位置し円筒対称要素の温度を示す出力をもたらすセンサと、
そのセンサの出力に応じ円筒対称要素の温度を制御するシステムと、
を備える装置。
【請求項４３】
請求項４２に記載の装置であって、そのセンサが熱電対である装置。
【請求項４４】
請求項４１に記載の装置であって、冷却流体がヘリウムを含む装置。
【請求項４５】
請求項４１に記載の装置であって、冷却システムが閉ループ流路上に冷却装置を備える装置。
【請求項４６】
ある軸周りで可回動であり、プラズマ形成ターゲット素材の帯で覆われた表面を有する円筒対称要素と、
上記表面に重なっており、ドライブレーザによる照射にプラズマ形成ターゲット素材をさらしプラズマを生成させるための開口が形成されており、その内部流路内に冷却流体を流すことで自ハウジングが冷やされるように内部流路が形成されているハウジングと、
を備える装置。
【請求項４７】
請求項４６に記載の装置であって、冷却流体が、水、ＣＤＡ、窒素及びアルゴンで構成される流体の集合から選択された流体である装置。
【請求項４８】
請求項４６に記載の装置であって、冷却剤流路内に冷却剤流体を通すことで円筒対称要素が冷やされ、その冷却剤流路から出てくる冷却流体をハウジングの内部流路に通すことでそのハウジングが冷やされる装置。
【請求項４９】
ある軸周りで可回動であり、プラズマ形成ターゲット素材の層で覆われており、その軸に沿い並進可能であり、ターゲット素材からなり帯高ｈを有しドライブレーザによる照射を受ける稼働帯(operational band)がその並進により画定される円筒対称要素と、
円筒対称要素に対し固定されている個所から、プラズマ形成ターゲット素材のスプレイであり上記軸に対し平行に測ったスプレイ高ＨがＨ＜ｈであるスプレイを出射することで、ドライブレーザからの照射によりプラズマ形成ターゲット素材中に生じたクレータを補填する注入システムと、
を備える装置。
【請求項５０】
請求項４９に記載の装置であって、更に、プラズマ形成ターゲット素材の層に重なったハウジングを備え、ドライブレーザによる照射にプラズマ形成ターゲット素材をさらすための開口がそのハウジングに形成されており、注入システムがそのハウジング上に実装されたインジェクタを有する装置。
【請求項５１】
請求項４９に記載の装置であって、注入システムが複数個のスプレイポートを有する装置。
【請求項５２】
請求項５１に記載の装置であって、それらスプレイポートが上記軸に対し平行な方向に沿い整列している装置。
【請求項５３】
ある軸周りで可回動で、プラズマ形成ターゲット素材の層で覆われており、その軸に沿い並進可能な円筒対称要素と、
上記軸に対し平行な方向に沿い並進可能な少なくとも１個のインジェクタポートを有し、プラズマ形成ターゲット素材のスプレイを出射することで、ドライブレーザからの照射によりプラズマ形成ターゲット素材中に生じたクレータを補填する注入システムと、
を備える装置。
【請求項５４】
請求項５３に記載の装置であって、インジェクタの動きが円筒対称要素の軸沿い並進と同期している装置。
【請求項５５】
請求項５３に記載の装置であって、注入システムが複数個のスプレイポートを有する装置。
【請求項５６】
請求項５５に記載の装置であって、それらスプレイポートが上記軸に対し平行な方向に沿い整列している装置。
【請求項５７】
ある軸周りで可回動で、プラズマ形成ターゲット素材の層で覆われており、その軸に沿い並進可能な円筒対称要素と、
上記軸に対し平行な方向に沿い整列している複数個のスプレイポート並びにアパーチャが形成されているプレートを有し、そのアパーチャがその軸に対し平行な方向に沿い並進可能であり、その並進により少なくとも１個のスプレイポートの覆いを選択的に外しプラズマ形成ターゲット素材のスプレイを出射させることで、ドライブレーザからの照射によりその外面上のプラズマ形成ターゲット素材中に生じたクレータを補填する注入システムと、
を備える装置。
【請求項５８】
請求項５７に記載の装置であって、アパーチャ及び円筒対称要素の軸沿い並進が同期している装置。
【発明の詳細な説明】
【技術分野】
【０００１】
本件開示は、総じて、真空紫外（ＶＵＶ）域の光（即ちその波長が約１００ｎｍ〜２００ｎｍの光）、極端紫外（ＥＵＶ）域の光（即ちその波長が１０ｎｍ〜１２４ｎｍ域の光例えば波長が１３．５ｎｍの光）及び／又は軟Ｘ線域の光（即ちその波長が約０．１ｎｍ〜１０ｎｍの光）を生成するプラズマ式光源に関する。本願記載のある種の実施形態に係る高輝度光源は計量及び／又はマスク検査行為、例えば化学線マスク検査やその一例たるブランクマスク又はパターニング済マスク検査での使用にひときわ適している。より一般的には、本願記載のプラズマ式光源を、（そのまま又は相応に修正し）いわゆる大量生産（ＨＶＭ）光源としてチップパターニングに用いることもできる。
【背景技術】
【０００２】
（関連出願への相互参照）
本願は下に列挙されている出願（「関連出願」）に関連する出願であり、当該関連出願における最先、利用可能且つ有効な出願日の利益を主張する（例．暫定特許出願以外に係る最先且つ利用可能な優先日を主張し或いは暫定特許出願についての米国特許法第１１９条（ｅ）の規定による利益を関連出願のあらゆる親出願、その親出願、更にその親出願等々に関し主張する）出願である。
【０００３】
（関連出願）
米国特許商標庁の例外的規定の趣旨を踏まえ、本願は「円筒対称要素上を覆うターゲット素材を有するレーザ生成プラズマ光源」(LASER PRODUCED PLASMA LIGHT SOURCE HAVING A TARGET MATERIAL COATED ON A CYLINDRICALY-SYMMETRIC ELEMENT)と題しＡｌｅｘｅｙ  Ｋｕｒｉｔｓｙｎ、Ｂｒｉａｎ  Ａｈｒ、Ｒｕｄｙ  Ｇａｒｃｉａ、Ｆｒａｎｋ  Ｃｈｉｌｅｓｅ及びＯｌｅｇ  Ｋｈｏｄｙｋｉｎを発明者とする２０１５年１１月１６日付米国暫定特許出願第６２／２５５８２４号の通常（非暫定）特許出願を構成する。
【０００４】
プラズマ式光源例えばレーザ生成プラズマ（ＬＰＰ）光源を用いることで、欠陥検査、フォトリソグラフィ、計量等の用途向けに、軟Ｘ線、極端紫外（ＥＵＶ）光及び／又は真空紫外（ＶＵＶ）光を発生させることができる。概略、これらのプラズマ光源では、キセノン、スズ、リチウムその他、相応な線放射又は帯域放射元素を含有するターゲット素材で形成されたプラズマにより、所望波長を有する光が放射される。例えばＬＰＰ光源では、励起源によりターゲット素材にパルスレーザビーム等を照射することでプラズマが生成される。
【０００５】
一例としてはドラムの表面をターゲット素材で覆ったものがあろう。照射サイトにてターゲット素材の小エリアにパルスを照射した後、そのドラムを回動させ及び／又は軸に沿い並進させると、ターゲット素材の新たなエリアがその照射サイトに現れる。そのターゲット素材層には個々の照射パルスによりクレータが生成される。それらクレータを補充システムで以て再充填すること、ひいてはターゲット素材送給システムを形成することが可能であり、それにより、理論的には、照射サイトへと無限にターゲット素材を提供することができる。通常、レーザの集束先たる合焦スポットの直径は約１００μｍ未満である。そうした合焦スポットに比較的高い精度でターゲット素材を送給し、安定な光源位置を保つことが望ましい。
【０００６】
用途にもよるが、キセノン（例．ドラム表面上に形成されたキセノンアイス層の形態を採っているそれ）をターゲット素材として用いることで、確かな長所を提供することができる。例えば、１μｍドライブレーザによる照射を受けるキセノンターゲット素材を用いることで、計量ツール又はマスク／ペリクル検査ツールでの使用にひときわ適する比較的高輝度なＥＵＶ光源を、提供することができる。キセノンは比較的高価である。この理由からすれば使用キセノン量を減らすことが望ましく、とりわけ、蒸発により失われるキセノン、均一ターゲット素材層形成のためドラムから削がれるキセノン等、真空チャンバ内に放り出されるキセノンの量を減らすことが望ましい。この余分なキセノンによりＥＵＶ光が吸収され、システムに提供される輝度が低下する。
【０００７】
これらの光源では、プラズマから発せられる光が往々にして反射光学系、例えば集光光学系（例．近垂直入射又はかすり入射鏡）の働きで集光される。その集光光学系は集光した光を光路に沿い中間個所に差し向け、場合によってはそこに集束させ、そしてその光がそこにある下流ツール例えばリソグラフィツール（即ちステッパ／スキャナ）、計量ツール又はマスク／ペリクル検査ツールによって使用される。
【先行技術文献】
【特許文献】
【０００８】
【特許文献１】米国特許出願公開第２０１２／００５０７０６号
【特許文献２】米国特許出願公開第２０１４／０３７６８４２号
【特許文献３】米国特許出願公開第２０１４／０３７４６１１号
【特許文献４】米国特許出願公開第２０１５／００７６３５９号
【発明の概要】
【発明が解決しようとする課題】
【０００９】
これらの光源では、光学系その他の部材の汚れを減らすため、並びにプラズマから集光光学系更には中間個所への光（例．ＥＵＶ光）の伝送量を増やすため、ＬＰＰチャンバに関し超清浄真空環境が望まれる。プラズマ式照明システム動作中には、微粒子（例．金属）及び炭化水素又は有機物を含有する汚染物、例えばグリースからのオフガスが、これに限られるものではないがターゲット形成構造やその構造を回動、並進及び／又は安定化させる機械的構成部材をはじめとする様々な源泉から放出されうる。この汚染物はときに反射光学系に到達してその反射光学系に光汚染誘起性損傷を引き起こすことや、他部材例えばレーザ入射窓又は診断フィルタ／検出器／光学系を損傷／性能低下させることがある。加えて、気体軸受け使用時には、軸受け気体例えば空気がＬＰＰチャンバ内に解き放たれた場合、その軸受け気体によりＥＵＶ光が吸収されＥＵＶ光源出力が低下することがある。
【００１０】
上掲のことに鑑み、本願出願人は、円筒対称要素上を覆うターゲット素材を有するレーザ生成プラズマ光源並びにそれに対応する使用方法を開示する。
【課題を解決するための手段】
【００１１】
本件開示の第１態様に係る装置は、ステータ体と、ある軸周りで可回動であり、ドライブレーザによる照射を受けレーザ生成プラズマ（ＬＰＰ）チャンバ内にプラズマを発生させるプラズマ形成ターゲット素材で覆われた表面を有し、第１端から第２端へと延びる円筒対称要素と、その円筒対称要素の第１端をステータ体に連結し且つ軸受け気体流を成立させる気体軸受けアセンブリであり、その軸受け気体流が通流している第１空間内に遮断気体(barrier gas)を導入することでＬＰＰチャンバ内への軸受け気体の漏れを減らすシステムを有する気体軸受けアセンブリと、円筒対称要素の第２端をステータ体に連結する第２軸受けアセンブリであり、当該第２軸受けに通流している第２空間内に遮断気体を導入することでその第２軸受けからＬＰＰチャンバ内への汚染物質の漏れを減らすシステムをも有する第２軸受けと、を備える。
【００１２】
ある実施形態ではその第２軸受けアセンブリが磁気軸受けとされ、その磁気軸受けにて生じた微粒子等の汚染物が汚染物質に含まれる。また別の実施形態では第２軸受けアセンブリがグリース封入軸受けとされ、そのグリース封入軸受けにて生じたグリースオフガス及び微粒子等の汚染物が汚染物質に含まれる。また別の実施形態では第２軸受けアセンブリが気体軸受けアセンブリとされ、軸受け気体が汚染物質となる。
【００１３】
本態様のある格別な実施形態では、その円筒対称要素がスピンドル上に実装されると共に、ＬＰＰチャンバ内への軸受け気体の漏れを減らすシステムが、ステータ体又はスピンドルにあり第１空間と通流しており且つ第１空間の第１部分から軸受け気体を排出するよう構成されている第１環状溝と、ステータ体又はスピンドルにあり第１空間と通流しており且つ第１空間の第２部分内へと第２圧力にて遮断気体を輸送するよう構成されている第２環状溝と、ステータ体又はスピンドルにあり第１空間と通流しており上記軸に対し平行な軸方向において第１環状溝・第２環状溝間に位置する第３環状溝であり、第１空間の第３部分外に軸受け気体及び遮断気体を輸送することで第１圧力及び第２圧力より低い第３圧力をその第３部分内に発生させるよう構成されている第３環状溝と、を有する。
【００１４】
本態様のある格別な実施形態では、その円筒対称要素がスピンドル上に実装されると共に、ＬＰＰチャンバ内への汚染物質の漏れを減らすシステムが、ステータ体又はスピンドルにあり第１空間と通流しており且つ第１空間の第１部分から汚染物質を排出するよう構成されている第１環状溝と、ステータ体又はスピンドルにあり第１空間と通流しており且つ第１空間の第２部分内へと第２圧力にて遮断気体を輸送するよう構成されている第２環状溝と、ステータ体又はスピンドルにあり第１空間と通流しており上記軸に対し平行な軸方向において第１環状溝・第２環状溝間に位置する第３環状溝であり、第１空間の第３部分外に汚染物質及び遮断気体を輸送することで第１圧力及び第２圧力より低い第３圧力をその第３部分内に発生させるよう構成されている第３環状溝と、を有する。
【００１５】
本態様に係る装置は、更に、その円筒対称要素の第１端に駆動ユニットを備え、その駆動ユニットが、上記軸に沿い円筒対称要素を並進させるリニアモータアセンブリと、その軸周りで円筒対称要素を回動させるロータリモータと、を有するものとすることができる。
【００１６】
本態様におけるプラズマ形成ターゲット素材は、これに限られるものではないがキセノンアイスとすることができる。また、一例としては、軸受け気体を窒素、酸素、浄化空気、キセノン、アルゴン又はそれら気体の組合せとすることができる。加えて、やはり一例としては、遮断気体をキセノン、アルゴン又はそれらの組合せとすることができる。
【００１７】
本件開示の他態様に係る装置は、ステータ体と、ある軸周りで可回動であり、ドライブレーザによる照射を受けレーザ生成プラズマ（ＬＰＰ）チャンバ内にプラズマを発生させるプラズマ形成ターゲット素材で覆われた表面を有し、第１端から第２端へと延びる円筒対称要素と、同要素の第１端をステータ体に連結する磁気液体ロータリシールと、円筒対称要素の第２端をステータ体に連結する軸受けアセンブリであり、当該第２軸受けに通流している空間内に遮断気体を導入することでその軸受けからＬＰＰチャンバ内への汚染物質の漏れを減らすシステムを有する軸受けと、を備える。
【００１８】
本態様のある実施形態ではその第２軸受けアセンブリが磁気軸受けとされ、その磁気軸受けにて発生した汚染物例えば微粒子が汚染物質に含まれる。また別の実施形態ではその第２軸受けアセンブリがグリース封入軸受けとされ、そのグリース封入軸受けにて発生した汚染物例えばグリースオフガス及び微粒子が汚染物質に含まれる。また別の実施形態ではその第２軸受けアセンブリが気体軸受けアセンブリとされ、軸受け気体が汚染物質となる。
【００１９】
本態様のある格別な実施形態では、その円筒対称要素がスピンドル上に実装されると共に、ＬＰＰチャンバ内への汚染物質の漏れを減らすシステムが、ステータ体及びスピンドルのうち一方にあり上記空間と通流しており且つその空間の第１部分から汚染物質を排出するよう構成されている第１環状溝と、ステータ体及びスピンドルのうち一方にあり上記空間と通流しており且つその空間の第２部分内へと第２圧力にて遮断気体を輸送するよう構成されている第２環状溝と、ステータ体及びスピンドルのうち一方にあり上記空間と通流しており上記軸に対し平行な軸方向において第１環状溝・第２環状溝間に位置する第３環状溝であり、上記空間の第３部分外に汚染物質及び遮断気体を輸送することで第１圧力及び第２圧力より低い第３圧力をその第３部分内に発生させるよう構成されている第３環状溝と、を有する。
【００２０】
本態様に係る装置は、更に、その円筒対称要素の第１端に駆動ユニットを備え、その駆動ユニットが、上記軸に沿い円筒対称要素を並進させるリニアモータアセンブリと、その軸周りで円筒対称要素を回動させるロータリモータと、を有するものとすることができる。ある実施形態に係る装置は、ステータ体に対する円筒対称要素の軸沿い並進を受容するベロウズを備える。
【００２１】
また、本態様におけるプラズマ形成ターゲット素材は、これに限られるものではないがキセノンアイスとすることができる。また、一例としては、その第２軸受けアセンブリが気体軸受けアセンブリである実施形態での軸受け気体を、窒素、酸素、浄化空気、キセノン、アルゴン又はそれら気体の組合せとすることができる。加えて、同じく一例としては、遮断気体をキセノン、アルゴン又はそれらの組合せとすることができる。
【００２２】
本件開示の他態様に係る装置は、ある軸周りで可回動であり、ドライブレーザによる照射を受けプラズマを生成するプラズマ形成ターゲット素材の帯で覆われた表面を有する円筒対称要素と、その円筒対称要素上にプラズマ形成ターゲット素材を補充するサブシステムと、その円筒対称要素上のプラズマ形成ターゲット素材を削ぎ均一厚みのプラズマ形成ターゲット素材を築くよう配置された鋸歯状ワイパと、を備える。
【００２３】
本態様のある格別な実施形態ではそのドライブレーザがパルスドライブレーザとされ、最大直径Ｄを有するクレータがパルス照射を経て円筒対称要素上のプラズマ形成ターゲット素材中に生じ、鋸歯状ワイパが少なくとも２本の歯を有し、上記軸に平行な方向に沿い個々の歯がＬ＞３＊Ｄなる長さＬを有する。
【００２４】
本態様のある実施形態に係る装置は、また、上記表面に重なるハウジングであり、ドライブレーザによる照射にプラズマ形成ターゲット素材をさらすための開口が形成されているハウジングと、ハウジング・プラズマ形成ターゲット素材間シールを成立させるワイパと、を備える。
【００２５】
本件開示の他態様に係る装置は、ある軸周りで可回動であり、プラズマ形成ターゲット素材の帯で覆われた表面を有する円筒対称要素と、その円筒対称要素上にプラズマ形成ターゲット素材を補充するサブシステムと、その円筒対称要素上のプラズマ形成ターゲット素材を削ぎ均一厚みのプラズマ形成ターゲット素材を築くよう配置されたワイパと、上記表面に重なっており、ドライブレーザによる照射にプラズマ形成ターゲット素材をさらしプラズマを生成させるための開口が形成されているハウジングと、ワイパをハウジングに装着するため及びそのハウジングを円筒対称要素に対し動かすことなくそのワイパを交換可能にするための実装システムと、を備える。
【００２６】
本件開示の他態様に係る装置は、ある軸周りで可回動であり、プラズマ形成ターゲット素材の帯で覆われた表面を有する円筒対称要素と、その円筒対称要素上にプラズマ形成ターゲット素材を補充するサブシステムと、ワイパエッジにてその円筒対称要素上のプラズマ形成ターゲット素材を削ぎ均一厚みのプラズマ形成ターゲット素材を築くよう配置されたワイパと、上記表面に重なっており、ドライブレーザによる照射にプラズマ形成ターゲット素材をさらしプラズマを生成させるための開口が形成されているハウジングと、ワイパエッジ・上記軸間の径方向距離を調整する調整システムでありハウジングの露出面上にアクセスポイントを有する調整システムと、を備える。
【００２７】
本件開示の他態様に係る装置は、ある軸周りで可回動であり、プラズマ形成ターゲット素材の帯で覆われた表面を有する円筒対称要素と、その円筒対称要素上にプラズマ形成ターゲット素材を補充するサブシステムと、ワイパエッジにてその円筒対称要素上のプラズマ形成ターゲット素材を削ぎ均一厚みのプラズマ形成ターゲット素材を築くよう配置されたワイパと、上記表面に重なっており、ドライブレーザによる照射にプラズマ形成ターゲット素材をさらしプラズマを生成させるための開口が形成されているハウジングと、ワイパエッジ・上記軸間の径方向距離を調整する調整システムであり制御信号に応じワイパを動かすアクチュエータを有する調整システムと、を備える。
【００２８】
本件開示の他態様に係る装置は、ある軸周りで可回動であり、プラズマ形成ターゲット素材の帯で覆われた表面を有する円筒対称要素と、その円筒対称要素上にプラズマ形成ターゲット素材を補充するサブシステムと、ワイパエッジにてその円筒対称要素上のプラズマ形成ターゲット素材を削ぎ均一厚みのプラズマ形成ターゲット素材を築くよう配置されたワイパと、ワイパエッジ・上記軸間の径方向距離を示す信号を出力する計測システムと、を備える。
【００２９】
本態様のある実施形態ではその計測システムが発光器及び光センサを備える。
【００３０】
本件開示の他態様に係る装置は、ある軸周りで可回動であり、プラズマ形成ターゲット素材の帯で覆われた表面を有する円筒対称要素と、その円筒対称要素上にプラズマ形成ターゲット素材を補充するサブシステムと、ワイパマウントと、そのワイパマウントを整列させるマスタワイパと、ワイパエッジにてその円筒対称要素上のプラズマ形成ターゲット素材を削ぎ均一厚みのプラズマ形成ターゲット素材を築くよう整列済ワイパマウント内に配置可能な稼働ワイパと、を備える。
【００３１】
本件開示の他態様に係る装置は、ある軸周りで可回動であり、ドライブレーザによる照射を受けプラズマを生成するプラズマ形成ターゲット素材の帯で覆われた表面を有する円筒対称要素と、その円筒対称要素上にプラズマ形成ターゲット素材を補充するサブシステムと、第１個所にてその円筒対称要素上のプラズマ形成ターゲット素材を拭い均一厚みのプラズマ形成ターゲット素材を築く第１加熱ワイパと、円筒対称要素を挟み第１個所とは径方向逆側にある第２個所にてその円筒対称要素上のプラズマ形成ターゲット素材を拭い均一厚みのプラズマ形成ターゲット素材を築く第２加熱ワイパと、を備える。
【００３２】
本態様のある実施形態では、第１及び第２加熱ワイパが柔順(compliant)素材製の接触面を有し、或いは柔順形態で実装されたワイパを有する。
【００３３】
本態様のある格別な実施形態に係る装置は、更に、第１加熱ワイパの温度を示す第１信号を出力する第１熱電対と、第２加熱ワイパの温度を示す第２信号を出力する第２熱電対と、を備える。
【００３４】
本件開示の他態様に係る装置は、ある軸周りで可回動であり、キセノンターゲット素材の帯で覆われた表面を有する円筒対称要素と、そのキセノンターゲット素材を７０ケルビン未満の温度まで可制御的に冷やすことでその円筒対称要素上の均一なキセノンターゲット素材層を保つクリオスタットシステムと、を備える。
【００３５】
ある実施形態ではそのクリオスタットシステムが液体ヘリウムクリオスタットシステムとされる。
【００３６】
ある格別な実施形態によれば、本装置に、更に、その円筒対称要素内に位置し円筒対称要素の温度を示す出力をもたらすセンサ例えば熱電対と、そのセンサの出力に応じ円筒対称要素の温度を制御するシステムと、を設けることができる。
【００３７】
本態様のある実施形態によれば、本装置に、排出された冷却剤をリサイクルに備え冷やす冷却装置をも設けることができる。
【００３８】
本件開示の他態様に係る装置は、ある軸周りで可回動で中空であり、プラズマ形成ターゲット素材の帯で覆われた表面を有する円筒対称要素と、その円筒対称要素内に位置し円筒対称要素の温度を示す出力をもたらすセンサと、そのセンサの出力に応じ円筒対称要素の温度を制御するシステムと、を備える。
【００３９】
本態様のある実施形態に係る装置は、そのキセノンターゲット素材を７０ケルビン未満の温度まで可制御的に冷やすことでその円筒対称要素上の均一なキセノンターゲット素材層を保つ液体ヘリウムクリオスタットシステムを備える。
【００４０】
本態様のある実施形態ではそのセンサが熱電対とされる。
【００４１】
本態様のある格別な実施形態に係る装置は、排出された冷却剤をリサイクルに備え冷やす冷却装置を備える。
【００４２】
本件開示の他態様に係る装置は、ある軸周りで可回動で中空であり、プラズマ形成ターゲット素材の帯で覆われた表面を有する円筒対称要素と、閉ループ流路内を循環する冷却流体を有し、プラズマ形成ターゲット素材を冷やすべくその流路がその円筒対称要素内へと延設されている冷却システムと、を備える。
【００４３】
本態様のある格別な実施形態に係る装置は、その円筒対称要素内に位置し円筒対称要素の温度を示す出力をもたらすセンサ例えば熱電対と、そのセンサの出力に応じその円筒対称要素の温度を制御するシステムと、を備える。
【００４４】
本態様のある実施形態ではその冷却システムが閉ループ流路上に冷却装置を備える。
【００４５】
本態様のある実施形態ではその冷却流体がヘリウムを含む。
【００４６】
本件開示の他態様に係る装置は、ある軸周りで可回動であり、プラズマ形成ターゲット素材の帯で覆われた表面を有する円筒対称要素と、上記表面に重なっており、ドライブレーザによる照射にプラズマ形成ターゲット素材をさらしプラズマを生成させるための開口が形成されており、その内部流路内に冷却流体を流すことで自ハウジングが冷やされるように内部流路が形成されているハウジングと、を備える。
【００４７】
本態様における冷却流体は、空気、水、清浄乾燥空気（ＣＤＡ）、窒素、アルゴン、円筒対称要素内を通った冷却剤例えばヘリウム又は窒素、或いは冷凍器により（例．０℃未満の温度まで）冷やされ又は機械的運動及びレーザ照射に由来する余分な熱を除くのに（例．周囲より低いがＸｅの凝結点より高い温度例えば１０〜３０℃まで冷やすのに）十分な容量を有する液体冷却剤とすることができる。
【００４８】
本件開示の他態様に係る装置は、ある軸周りで可回動であり、プラズマ形成ターゲット素材の層で覆われており、その軸に沿い並進可能であり、ターゲット素材からなり帯高ｈを有しドライブレーザによる照射を受ける稼働帯(operational band)がその並進により画定される円筒対称要素と、その円筒対称要素に対し固定されている個所から、プラズマ形成ターゲット素材のスプレイであり上記軸に対し平行に測ったスプレイ高ＨがＨ＜ｈであるスプレイを出射することで、ドライブレーザからの照射によりプラズマ形成ターゲット素材中に生じたクレータを補填する注入システムと、を備える。
【００４９】
本態様のある実施形態に係る装置は、更に、プラズマ形成ターゲット素材の層に重なったハウジングを備え、ドライブレーザによる照射にプラズマ形成ターゲット素材をさらすための開口がそのハウジングに形成されており、注入システムがそのハウジング上に実装されたインジェクタを有する。
【００５０】
本態様のある実施形態ではその注入システムが複数個のスプレイポートを有し、ある格別な実施形態ではそれらスプレイポートが上記軸に対し平行な方向に沿い整列される。
【００５１】
本件開示の他態様に係る装置は、ある軸周りで可回動で、プラズマ形成ターゲット素材の層で覆われており、その軸に沿い並進可能な円筒対称要素と、上記軸に対し平行な方向に沿い並進可能な少なくとも１個のインジェクタを有し、プラズマ形成ターゲット素材のスプレイを出射することで、ドライブレーザからの照射によりプラズマ形成ターゲット素材中に生じたクレータを補填する注入システムと、を備える。
【００５２】
本態様のある実施形態ではそれらインジェクタ及び円筒対称要素の軸沿い並進が同期する。
【００５３】
本態様のある実施形態ではその注入システムが複数個のスプレイポートを有し、ある格別な実施形態ではそれらスプレイポートが上記軸に対し平行な方向に沿い整列される。
【００５４】
本件開示の他態様に係る装置は、ある軸周りで可回動で、プラズマ形成ターゲット素材の層で覆われており、その軸に沿い並進可能な円筒対称要素と、上記軸に対し平行な方向に沿い整列している複数個のスプレイポート並びにアパーチャが形成されているプレートを有し、そのアパーチャがその軸に対し平行な方向に沿い並進可能であり、その並進により少なくとも１個のスプレイポートの覆いを選択的に外しプラズマ形成ターゲット素材のスプレイを出射させることで、ドライブレーザからの照射によりその外面上のプラズマ形成ターゲット素材中に生じたクレータを補填する注入システムと、を備える。
【００５５】
本態様のある実施形態ではそのアパーチャの動きが円筒対称要素の軸沿い並進と同期する。
【００５６】
幾つかの実施形態によれば、本願記載の光源を検査システム、例えばブランクマスク又はパターニング済マスク検査システムに組み込むことができる。ある実施形態によれば、例えば、中間個所に輻射を送給する光源と、その輻射で以てサンプルを照明するよう構成された光学システムと、そのサンプルにより反射、散乱又は輻射された照明をイメージング路に沿い受光するよう構成された検出器とを、検査システムに設けることができる。その検出器と通信する情報処理システムをその検査システムに設け、検出された照明に係る信号に基づきそのサンプルにおける少なくとも１個の欠陥の所在を特定し又はその欠陥を計測するよう構成することもできる。
【００５７】
幾つかの実施形態によれば、本願記載の光源をリソグラフィシステムに組み込むことができる。例えば、レジスト被覆済ウェハをパターン化輻射ビームにさらすためその光源をリソグラフィシステムにて用いることが可能である。ある実施形態によれば、例えば、中間個所に輻射を送給する光源と、その輻射を受光しパターン化輻射ビームを発生させる光学システムと、そのパターン化ビームをレジスト被覆済ウェハに送給する光学システムとを、リソグラフィシステムに設けることができる。
【００５８】
ご理解頂けるように、上掲の概略記述及び後掲の詳細記述は共に専ら例示的且つ説明的なものであり、本件開示を必ずしも限定するものではない。添付図面は、本明細書に組み込まれその一部を形成するものであり、本件開示の主題を描出している。明細書及び図面は相俟って本件開示の諸原理を説明する役を負っている。
【００５９】
本件技術分野に習熟した者（いわゆる当業者）であれば、以下の如き添付図面を参照することによって、本件開示に多々備わる長所をより良好に理解できよう。
【図面の簡単な説明】
【００６０】
【図１】本件開示の実施形態に係り、可回動な円筒対称要素上を覆うターゲット素材を有するＬＰＰ光源を示す概略模式図である。
【図２】ターゲット素材送給システムのうち駆動側気体軸受け及び端側気体軸受けを有する部分の断面図である。
【図３】円筒対称要素を回動及び軸沿い並進させる駆動ユニットの斜視断面図である。
【図４】図２にて矢印４−４により括られている部分の詳細図であり、気体軸受けからの軸受け気体の漏れを減らすための遮断気体を有するシステムが示されている。
【図５】ターゲット素材送給システムのうち磁気又は機械軸受けたる端側軸受け及び駆動側気体軸受けを有する部分の断面図である。
【図６】図５に示した実施形態における端側軸受けの拡大図である。
【図７】図６にて矢印７−７により括られている部分の詳細図であり、気体軸受けからの軸受け気体の漏れを減らすための遮断気体を有するシステムが示されている。
【図８】ターゲット素材送給システムのうち、スピンドルをステータに連結する駆動側磁気流体ロータリシールを有する部分の概略断面図である。
【図９】円筒対称要素を冷やすシステムの模式図である。
【図１０】ハウジングを冷やすシステムの斜視図である。
【図１１】図１０に示したハウジング冷却用内部流路の斜視図である。
【図１２】円筒対称要素上にターゲット素材をスプレイするシステムの概略断面図であり、第１ポジションにある円筒対称要素が示されている。
【図１３】円筒対称要素上にターゲット素材をスプレイするシステムの概略断面図であり、第１ポジションから第２ポジションへの軸沿い並進を経た円筒対称要素が示されている。
【図１４】軸沿い可動インジェクタを有し円筒対称要素上にターゲット素材をスプレイするシステムの概略断面図であり、各々第１ポジションにある円筒対称要素及びインジェクタが示されている。
【図１５】軸沿い可動インジェクタを有し円筒対称要素上にターゲット素材をスプレイするシステムの概略断面図であり、各々の第１ポジションから各々の第２ポジションへの軸沿い並進を経た円筒対称要素及びインジェクタが示されている。
【図１６】アパーチャ付の軸沿い可動プレートを有し円筒対称要素上にターゲット素材をスプレイするシステムの概略断面図であり、各々の第１ポジションにある円筒対称要素及びプレートが示されている。
【図１７】アパーチャ付の軸沿い可動プレートを有し円筒対称要素上にターゲット素材をスプレイするシステムの概略断面図であり、各々の第１ポジションから各々の第２ポジションへの軸沿い並進を経た円筒対称要素及びプレートが示されている。
【図１８】ワイパシステムの斜視断面図である。
【図１９】３本の歯を有する鋸歯状ワイパの斜視図である。
【図２０Ａ】図２０Ｂ中の線１９Ａ−１９Ａ沿いに見た図であり、歯、すくい角、逃げ角及び逃げが示されている。
【図２０Ｂ】ドラムに対するワイパの位置を判別する計測システムの断面図である。
【図２１】ワイパを動かすアクチュエータを有するワイパ調整システムの模式的断面図である。
【図２２】マスタワイパを用いたワイパ整列技術に関わる諸工程を示すフローチャートである。
【図２３】柔順ワイパシステムの断面図である。
【図２４】ターゲット素材で覆われたドラムに対し稼働位置を占める柔順ワイパを示す断面図である。
【図２５Ａ】柔順ワイパシステムにおけるドラム上でのターゲット素材の成長を示す図である。
【図２５Ｂ】柔順ワイパシステムにおけるドラム上でのターゲット素材の成長を示す図である。
【図２５Ｃ】柔順ワイパシステムにおけるドラム上でのターゲット素材の成長を示す図である。
【図２６】熱カートリッジ及び熱電対を有する柔順ワイパの斜視図である。
【図２７】本願記載の光源が組み込まれた検査システムを示す概略模式図である。
【図２８】本願記載の光源が組み込まれたリソグラフィシステムを示す概略模式図である。
【発明を実施するための形態】
【００６１】
以下、添付図面に示す開示主題を詳細に参照する。
【００６２】
図１に、一実施形態に係りＥＵＶ光をもたらす光源（その全体を１００で示す）及びターゲット素材送給システム１０２を示す。光源１００は、例えば、インバンドＥＵＶ光（例．１３．５ｎｍの波長及び２％の帯域幅を有する光）をもたらすよう構成することができる。図示の通り光源１００は励起源１０４例えばドライブレーザを有しており、照射サイト１０８にあるターゲット素材１０６を照らすよう、ひいてはＥＵＶ光放射性プラズマをレーザ生成プラズマチャンバ１１０内にもたらすよう、その励起源１０４が構成されている。場合にもよるが、ターゲット素材１０６にまず第１パルス（予パルス）、次いで第２パルス（主パルス）を照射してプラズマを発生させればよい。一例として、化学線マスク検査行為向けに構成された光源１００向けなら、固体利得媒質例えばＮｄ：ＹＡＧを有し約１μｍの光を出射するパルスドライブレーザで励起源１０４を構成し、ターゲット素材１０６をキセノン含有のものにすることで、化学線マスク検査に役立つ比較的高輝度なＥＵＶ光源の提供という確かな利点を提供することができる。他種ドライブレーザ、例えばその固体利得媒質がＥｒ：ＹＡＧ、Ｙｂ：ＹＡＧ、Ｔｉ：サファイア、Ｎｄ：バナジン酸塩等であるものが適することもあろう。ガス放電レーザ例えばエキシマレーザも、所要波長で十分な出力が得られるのなら使用できる。ＥＵＶマスク検査システムでは約１０Ｗ域のＥＵＶ光しか必要とされない場合があるが、それにしても小エリア内で高輝度が必要とされよう。この場合、マスク検査システム向けに十分なパワー及び輝度のＥＵＶ光を発生させるには、総レーザ出力を数ｋＷ域内とし、同出力を小さなターゲットスポット上、典型的にはその直径が約１００μｍ未満のそれに集束させるのが適しているであろう。他方、大量生産（ＨＶＭ）行為例えばフォトリソグラフィ向けには、複数個の増幅段を伴うハイパワーガス放電ＣＯ２レーザシステムを有し約１０．６μｍの光を出射するドライブレーザで励起源１０４を構成し、ターゲット素材１０６をスズ含有のものにすることで、良好な変換効率で以て比較的ハイパワーなインバンドＥＵＶ光を発生させる等、確かな利点を提供することができる。
【００６３】
同じく図１に示すように、光源１００の励起源１０４は、照射サイト１０８にあるターゲット素材１０６をレーザ入射窓１１２越しに集束照明ビーム又は光パルス列で照らすよう構成することができる。やはり図示の通り、その照射サイト１０８から放射された光のうち幾ばくかが集光光学系１１４（例．近垂直入射鏡）へと伝搬し、端部光線１１６ａ及び１１６ｂで明定の如く中間個所１１８へと反射される。集光光学系１１４は２個の焦点を有する偏長回転楕円体のセグメント、特に多層鏡（例．Ｍｏ／Ｓｉ又はＮｂＣ／Ｓｉ）で覆われていてインバンドＥＵＶ反射向けに最適化されている高品質研磨面を有するものとすることができる。幾つかの実施形態では、集光光学系１１４の反射面の表面積が約１００〜１００００ｃｍ２の範囲内とされ、照射サイト１０８から約０．１〜２ｍのところに配置されることとなろう。いわゆる当業者には明らかな通り上掲の範囲は例示であるし、偏長回転楕円体鏡に代え又は加え様々な光学系を、光を集め中間個所１１８に差し向けてＥＵＶ照明利用装置、例えば検査システム又はフォトリソグラフィシステムへと引き続き送給するのに用いることができる。
【００６４】
光源１００のＬＰＰチャンバ１１０は低圧容器であり、その内部では、ＥＵＶ光源として働くプラズマが生成され帰結たるＥＵＶ光が集光及び集束される。ＥＵＶ光は気体によって強く吸収されるので、ＬＰＰチャンバ１１０内の圧力を低くすることで、光源内部でのＥＵＶ光の減衰を抑えることができる。通常は、ＬＰＰチャンバ１１０内環境を４０ｍＴｏｒｒ未満の総圧及び５ｍＴｏｒｒ未満のキセノン分圧に保つことで、実質的な吸収無しでＥＵＶ光を伝搬させることが可能となる。緩衝気体例えば水素、ヘリウム、アルゴンその他の不活性ガスをその真空チャンバ内で用いてもよい。
【００６５】
やはり図１に示すように、中間個所１１８にてＥＵＶビームを内部フォーカスモジュール１２２内に入射させること及びそれをダイナミックガスロックとして働かせることができるので、ＬＰＰチャンバ１１０内低圧環境を保全すること、並びに生じたＥＵＶ光を用いるシステムをプラズマ生成プロセスにより生じるあらゆるデブリ（破片）から守ることができる。
【００６６】
光源１００には制御システム１２０と通信する気体供給システム１２４をも設けることができ、それによって、ＬＰＰチャンバ１１０内に保護緩衝気体（群）を導入すること、緩衝気体を供給して内部フォーカスモジュール１２２のダイナミックガスロック機能を守ること、ターゲット素材例えばキセノン（の気体又は液体）をターゲット素材送給システム１０２に供給すること、並びに遮断気体をターゲット素材送給システム１０２に供給することができる（後掲の更なる記述を参照）。制御システム１２０と通信する真空システム１２８（例．１個又は複数個のポンプを有するもの）を設けることができ、それによって、ＬＰＰチャンバ１１０の低圧環境を樹立及び維持すること、並びに図中のターゲット素材送給システム１０２をポンピングすることができる（後掲の更なる記述を参照）。場合にもよるが、真空システム１２８により回収されたターゲット素材及び／又は緩衝気体（群）を再循環させることができる。
【００６７】
同じく図１から読み取れるように、ＥＵＶプラズマをイメージングする診断ツール１３４を光源１００に設けることや、ＥＵＶ光パワー出力を計測すべくＥＵＶパワー計１３６を設けることができる。ＬＰＰチャンバ１１０内気体の温度及び圧力を計測すべく気体監視センサ１３８を設けることができる。上掲のセンサはいずれも制御システム１２０と通信可能であり、それによって、リアルタイムデータ捕捉及び分析を制御し、データロギングを制御し、また励起源１０４及びターゲット素材送給システム１０２を含め様々なＥＵＶ光源サブシステムをリアルタイムに制御することができる。
【００６８】
同じく図１に示すように、ターゲット素材送給システム１０２は円筒対称要素１４０を有している。ある実施形態では、この可回動円筒対称要素１４０が図１に示す如く円筒を有するものとなる。他の諸実施形態では、可回動円筒対称要素１４０が、本件技術分野で既知な何らかの円筒対称形状を有するものとされる。例えば、可回動円筒対称要素１４０を、これに限られるものではないが円筒、円錐、球、楕円体等を有するものとすることができる。更に、円筒対称要素１４０を、複数通りの形状で構成される複合形状を有するものとしてもよい。ある実施形態によれば、横方向に沿い円筒対称要素１４０の周縁を巡り延びるキセノンアイスターゲット素材１０６の帯で可回動円筒対称要素１４０を覆い、その帯で以て可回動円筒対称要素１４０を冷却することができる。いわゆる当業者には明らかな通り、様々なターゲット素材及び堆積技術を、本件開示の技術的範囲から離隔することなく用いることができる。ターゲット素材送給システム１０２には、円筒対称要素１４０の表面に重なりその面に概ね倣うハウジング１４２をも、設けることができる。このハウジング１４２は、ターゲット素材１０６の帯を保護するよう、また円筒対称要素１４０の表面上でのターゲット素材１０６の初期生成、保全及び補充に役立つよう、機能させることができる。図示の通りハウジング１４２には開口が形成されているので、プラズマ形成ターゲット素材１０６を励起源１０４からのビームによる照射にさらし、照射サイト１０８にてプラズマを発生させることができる。ターゲット素材送給システム１０２は駆動ユニット１４４をも有しており、それによって、静止ハウジング１４２に対し軸１４６周りで円筒対称要素１４０を回動させることや、静止ハウジング１４２に対し軸１４６に沿い前後に円筒対称要素１４０を並進させることができる。駆動側軸受け１４８及び端部軸受け１５０によって円筒対称要素１４０と静止ハウジング１４２とが連結されているので、静止ハウジング１４２に対し円筒対称要素１４０を回動させることができる。この構成によれば、ドライブレーザの合焦スポットに対しターゲット素材の帯を動かすこと、ひいては一連の新規なターゲット素材スポットを照射に順次供することができる。可回動円筒対称要素を有するターゲット素材サポートシステムに関してはその更なる詳細が「極端紫外光生成システム及び方法」(System And Method For Generation Of Extreme Ultraviolet Light)と題しＢｙｋａｎｏｖ  ｅｔ  ａｌ．を発明者とする２０１４年７月１８日付米国特許出願第１４／３３５４４２号、並びに「ＥＵＶ光源用気体軸受けアセンブリ」(Gas Bearing Assembly for an EUV Light Source)と題しＣｈｉｌｅｓｅ  ｅｔ  ａｌ．を発明者とする２０１４年６月２０日付米国特許出願第１４／３１０６３２号にて提供されているので、この参照を以てそれら出願それぞれの全容を本願に繰り入れることにする。
【００６９】
図２に、光源１００にて用いられるターゲット素材送給システムのうち、駆動側気体軸受け１４８ａ及び端部気体軸受け１５０ａを有する部分１０２ａ、即ち静止ハウジング１４２ａに対し円筒対称要素１４０ａを回動させうるようそれら軸受けにより円筒対称要素１４０ａと静止ハウジング１４２ａとが連結される部分を示す。より具体的には、図示の通り、気体軸受け１４８ａによりスピンドル１５２（これは円筒対称要素１４０ａに装着されている）がステータ１５４ａ（これは静止ハウジング１４２ａに装着されている）に連結されている。図３に示すように、スピンドル１５２は、静止ハウジング１４２ａに対しスピンドル１５２及び円筒対称要素１４０ａ（図２参照）を回動させるロータリモータ１５６に、装着されている。同じく図３に示すように、スピンドル１５２は、リニアモータ１６０によって軸沿い並進させうる並進ハウジング１５８に装着されている。円筒対称要素１４０ａの両側で軸受け（即ち駆動側気体軸受け１４８ａ及び端部気体軸受け１５０ａ）を用いることで、場合にもよるが、ターゲット素材送給システム１０２（図１）の機械的安定性を増し、ターゲット素材１０６の位置的安定性を増し、且つ光源１００の効率を高めることができる。加えて、空気軸受けを１個備えるだけの（即ち端側軸受けがない）システムでは、キセノンアイス層で覆われた極低温冷却ドラム上にワイパが及ぼす力が、空気軸受けについて定められている最大剛性を上回りその空気軸受けの破損につながりかねない。軸受けにおけるカウンタバランス力（平衡力）は、ドラムのシャフトが枢動する際（空気軸受けの中庸部付近での一次近似にて）一方の側で気体圧が上昇し他方の側では気体圧が下降する、という事実に由来している。その結果生じる復元力の働きでドラムが平衡ポジションに戻ろうとする。しかしながら、ワイパからの衝撃力が空気軸受けの最大剛性を上回るようではいけない。例えば、空気軸受けで受け止めうる最大の力がおよそ１０００Ｎであり、且つワイパトルクのレベルアームがその軸受けによりもたらされるカウンタバランストルクに係るアームより約１０倍大きいのなら、それらワイパからの合計力が１０倍未満の小ささ（１００Ｎ未満）でなければならない。状況にもよるが、ワイパによりキセノンアイスが円筒表面に対し径方向に圧縮されることから、ワイパによってもたらされる力はより大きくなりうる。後述の通り、鋸歯状ワイパによって、或いは２個の相対向する柔順ワイパの使用によって、ワイパシステムにより生成される力を減らすことができる。
【００７０】
また、図２及び図４を併せ参照することで読み取れるように、気体軸受け１４８ａは軸受け気体の（例．図１に示したＬＰＰチャンバ１１０内への）漏れを減らすシステムを有しており、ステータ１５４ａの表面上に形成された一組の溝１６２，１６４，１６６によりそのシステムが構成されている。図示の通り、スピンドル１５２・ステータ体１５４ａ間には圧力Ｐ１の軸受け気体流１６８を受け入れる空間１６７がある。環状溝１６２はステータ体１５４ａに形成され空間１６７と通流しており、空間１６７の一部分１７０から軸受け気体流１６８を排出させる機能を有している。環状溝１６４はステータ体１５４ａに形成され第１空間１６７と通流しており、気体供給システム１２４から空間１６７の一部分１７４へと圧力Ｐ２の遮断気体流１７２を運ぶ機能を有している。例示されている実施形態では、環状溝１６４が、軸１４６（図１参照）に対し平行な軸方向においてＬＰＰチャンバ１１０寄りに位置している。遮断気体はアルゴンやキセノンで組成することができ、ＬＰＰチャンバ１１０内受け入れ性を踏まえ選定される。環状溝１６６はステータ体１５４ａ内に配列され空間１６７と通流しており、図示の如く環状溝１６２・環状溝１６４間に位置している。環状溝１６６は軸受け気体及び遮断気体を真空システム１２８の働きで空間１６７の部分１７６外に運び、第１圧力Ｐ１未満且つ第２圧力Ｐ２未満の圧力Ｐ３を部分１７６内に発生させる機能を有している。これら３本の環状溝によって軸受け気体を順次取りだし阻止することで、ＬＰＰチャンバ１１０に進入する軸受け気体の量をかなり減らすことができる。寸法及び作動圧の例を含め、図４に示した構成に関する更なる詳細を、「ＥＵＶ光源用気体軸受けアセンブリ」(Gas Bearing Assembly for an EUV Light Source)と題しＣｈｉｌｅｓｅ  ｅｔ  ａｌ．を発明者とし先の参照によりその全容が本願に繰り入れられている２０１４年６月２０日付米国特許出願第１４／３１０６３２号中に、見いだすことができる。
【００７１】
更に、図２に示すように、端部気体軸受け１５０ａによりスピンドルの一部分１５２ｂ（これは円筒対称要素１４０ａに装着されている）がステータ１５４ｂ（これは静止ハウジング１４２ａに装着されている）に連結されている。これもまた読み取れるように、気体軸受け１５０ａは（例．図１に示すＬＰＰチャンバ１１０内への）軸受け気体の漏れを減らすシステムを有しており、ステータ１５４ｂの表面上に形成された一組の溝１６２ａ，１６４ａ，１６６ａによりそのシステムが形成されている。例えば溝１６２ａはいわゆる「ベント溝」、溝１６４ａはいわゆる「シールドガス溝」、溝１６６ａはいわゆる「スカベンジャ溝」とすることができる。察知頂けるように、溝１６２ａ，１６４ａ，１６６ａの機能は図４に示した上述の溝１６２，１６４，１６６のうち対応するものと同じであり、溝１６２ａが排出を担当、溝１６４ａが遮断気体供給器１２４と通流、そして溝１６６ａが真空システム１２８と通流している。
【００７２】
図５及び図６に、光源１００にて用いられるターゲット素材送給システム１０２ｃのうち、スピンドル１５２ｃ（これは円筒対称要素１４０ｃに装着されている）をステータ１５４ｃに連結する駆動側気体軸受け１４８ｃと、軸受け表面シャフト１８０（これは静止ハウジング１４２ｃに装着されている）及び軸受け連結シャフト１７８（これは円筒対称要素１４０ｃに装着されている）を連結する磁気又は機械（即ちグリース封入）軸受け１５０ｃと、を有する部分を示す。これもまた見て取れるように、気体軸受け１４８ｃは（例．図１に示すＬＰＰチャンバ１１０内への）軸受け気体の漏れを減らすシステムを有しており、ステータ１５４ｃの表面上に形成された一組の溝１６２ｃ，１６４ｃ，１６６ｃによりそのシステムが形成されている。察知頂けるように、溝１６２ｃ，１６４ｃ，１６６ｃの機能は図４に示した上述の溝１６２，１６４，１６６のうち対応するものと同じであり、溝１６２ｃが排出を担当、溝１６４ｃが遮断気体供給器１２４と通流、そして溝１６６ｃが真空システム１２８と通流している。
【００７３】
図６及び図７を併せ参照することで読み取れるように、磁気又は機械（即ちグリース封入）軸受け１５０ｃは、（図１に示した）ＬＰＰチャンバ１１０内への汚染物質の漏れを減らすシステムを有している。その汚染物質に含まれうるものとしては微粒子及び／又は軸受け１５０ｃにて生じたグリースオフガスがある。図示の通り、この汚染物質漏洩低減システムは静止ハウジング１４２ｃの表面上に形成された一組の溝１６２ｃ，１６４ｃ，１６６ｃを有している。図示の通り、軸受け連結シャフト１７８・静止ハウジング１４２ｃ間には、圧力Ｐ１の気体流１６８ｃを汚染物質込みで受け入れる空間１６７ｃがある。環状溝１６２ｃは静止ハウジング１４２ｃに形成され空間１６７ｃと通流しており、空間１６７ｃの一部分１７０ｃから気体流１６８ｃを排出させる機能を有している。環状溝１６４ｃは静止ハウジング１４２ｃに形成され第１空間１６７ｃと通流しており、気体供給システム１２４から空間１６７ｃの一部分１７４ｃへと圧力Ｐ２の遮断気体流１７２ｃを運ぶ機能を有している。例示されている実施形態では、環状溝１６４ｃが、軸１４６（図１参照）に対し平行な軸方向においてＬＰＰチャンバ１１０寄りに位置している。遮断気体はアルゴンやキセノンで組成することができ、ＬＰＰチャンバ１１０内受け入れ性を踏まえ選定される。環状溝１６６ｃは静止ハウジング１４２ｃ内に配列され空間１６７ｃと通流しており、図示の如く環状溝１６２ｃ・環状溝１６４ｃ間に位置している。環状溝１６６ｃは、汚染物質及び遮断気体を真空システム１２８の働きで空間１６７ｃの部分１７６ｃ外に運び、第１圧力Ｐ１未満且つ第２圧力Ｐ２未満の圧力Ｐ３を部分１７６ｃ内に発生させる機能を有している。これら３本の環状溝によって汚染物質含有気体を順次取りだし阻止することで、ＬＰＰチャンバ１１０に進入する汚染物質の量をかなり減らすことができる。
【００７４】
図８に、（図１に示した）光源１００にて用いられるターゲット素材送給システム１０２ｄのうち、ベロウズ１８４と協働しスピンドル１５２ｄ（これは円筒対称要素１４０ｄに装着されている）をステータ１５４ｄに連結する磁気液体ロータリシール１８２を有する部分を示す。シール１８２は、例えば、米国カリフォルニア州サンタクララを本拠とするＦｅｒｒｏｔｅｃ（ＵＳＡ）Ｃｏｒｐｏｒａｔｉｏｎにより製造された磁気液体ロータリ封止機構、即ち永久磁石を用い強磁性流体をその場に懸架する形態の物理障壁により気密封止を維持する機構とすることができる。本実施形態における端側軸受け１５０’（図８では模式的に示されている）は、図２に示した気体軸受け１５０ａ（軸受け気体の漏れを減らすシステムを有するもの）とすることや、図６に示した磁気又は機械（即ちグリース封入）軸受け１５０ｃ（汚染物質例えば微粒子及び／又はグリースオフガスの漏れを減らすシステムを有するもの）とすることができる。
【００７５】
図９に、円筒対称要素１４０ｅ上を覆っているターゲット素材例えば氷結キセノン１０６ｅを約７０ケルビン未満（即ち窒素の沸点未満）の温度まで冷やすことで、その円筒対称要素１４０ｅ上にあるキセノンターゲット素材１０６ｅの均一層を保つシステム２００を示す。本システム２００は、例えば液体ヘリウムクリオスタットシステムを有するものとすることができる。図示の通り、冷却剤源２０２により冷却剤（例．ヘリウム）が閉ループ流路２０４に供給されており、その流路が中空な円筒対称要素１４０ｅ内へと延びているので、プラズマ形成ターゲット素材１０６ｅを冷やすことができる。流路２０４上のポート２０５を通り円筒対称要素１４０ｅを脱した冷却剤は冷却装置２０６に送られ、その冷却装置２０６によって冷やされ、そしてその冷却・再生済冷却剤がその冷却装置２０６によって円筒対称要素１４０ｅへと返送される。これもまた図９に示すように、本システム２００を、センサ２０８付の温度制御システムを有し、そのセンサ２０８が例えば中空な円筒対称要素１４０ｅの表面又は内部に配置された１個又は複数個の熱電対を含み、そのセンサ２０８によって円筒対称要素１４０ｅの温度を示す出力がもたらされるものに、することができる。コントローラ２１０はセンサ２０８の出力を受け取り、またユーザ入力２１２から温度設定点を受け取る。コントローラを用いることで、例えば、液体ヘリウム温度を下限とする全範囲で温度設定点を選択することが可能になる。本願記載の諸装置におけるコントローラ２１０は、図１に示した上述の制御システム１２０の一部をなし又はそれと通信する構成にすることができる。コントローラ２１０は、センサ２０８の出力及び温度設定点を用いて制御信号を発生させ、その制御信号をライン２１４経由で冷却装置２０６に送ることで、円筒対称要素１４０ｅ及びキセノンターゲット素材１０６ｅの温度を制御する。
【００７６】
場合にもよるが、冷却剤を用い円筒対称要素１４０ｅを約７０ケルビン未満（即ち窒素の沸点未満）の温度まで冷やすことで、窒素による冷却に比しキセノンアイス層の安定性を増すことができる。キセノンアイス層の安定性は安定なＥＵＶ光出力及びデブリ発生防止にとり重要たりうる。この点に関して言えば、窒素冷却を用い実行された試験で判明している通り、光源の連続動作中にキセノンアイスの安定性が下がることがある。その原因の一つかもしれないのが微細粉体であり、レーザアブレーションの結果として円筒表面上に形成されることが判明している。これが生じるとアイス付着が減りかねず、アイス・円筒間熱伝導率の低下及びキセノンアイス層の経時的不安定化が生じうる。アイスが劣化し始めると、それを維持するのにかなり多量のキセノン流が必要になりうるので、ＥＵＶ吸収損失が増大すること、更には動作コストが顕著に増大することとなりかねない。キセノンアイスがより低温であればキセノンの消費を減らせるであろう。液体ヘリウムを円筒の冷却に用いることで、キセノンアイスの温度を下げ、アイスの安定性を増し、及び／又は、動作マージンを大きくすることができる。
【００７７】
図１０及び図１１に、円筒対称要素例えば図１に示した円筒対称要素１４０の表面上のターゲット素材（例．氷結キセノン）に重なるハウジング１４２ｂを冷やすシステム２２０を示す。図１０に示すように、ハウジング１４２ｂの円筒壁２２２は円筒対称要素保持空間２２４を囲んでおり、また輻射ビームがその壁２２２を通り円筒対称要素表面上のターゲット素材に到達できるようにする開口２２６を有している。その壁２２２には入口ポート２３０ａ，２３０ｂ及び出口ポート２３２を有する内部流路２２８が形成されている。この構成によれば、冷却流体を入口ポート２３０ａ，２３０ｂにて壁２２２内に導入し、内部流路２２８内に流し、そして出口ポート２３２を介し壁２２２から出すことができる。その冷却流体は、例えば、水、ＣＤＡ、窒素、アルゴン、或いは冷凍器により０℃未満の温度まで冷やされた液体冷却剤とすることができる。これに代え、円筒対称要素を通り抜けた冷却剤例えばヘリウム又は窒素を用いることも可能である。例えば、図９中のポート２０５を抜け円筒対称要素１４０ｅから出てくる冷却剤を、ハウジング１４２ｂ上の入口ポート２３０ａ，２３０ｂへとルーティングすることが可能である。場合にもよるが、ハウジング１４２ｂを冷やすことでキセノンアイスの安定性を増すことができる。ハウジング１４２ｂは、レーザ及びプラズマ輻射にさらされるため光源１００の動作につれだんだん熱くなっていく。場合にもよるが、外界との界面が真空であるため発熱が十分迅速に放散されないことがある。この温度上昇によりキセノンアイス及び円筒の放射加熱が強まり、その寄与でアイス層の不安定性が増す可能性がある。加えて、開ループＬＮ２冷却ドラムターゲットを対象に本願出願人が実施した試験で観測されたところによれば、ハウジングを冷やすことでＬＮ２消費の低減ももたらされうる。
【００７８】
図１２及び図１３に、プラズマ形成ターゲット素材１０６ｆの層で覆われていて軸１４６ｆ周りで可回動な円筒対称要素１４０ｆを有するシステム２３４を示す。図１２を図１３と比べることで見て取れるように、円筒対称要素１４０ｆは軸１４６ｆに沿い且つハウジング１４２ｆに対し並進可能であり、ターゲット素材１０６ｆで形成され帯高ｈを有する稼働帯、即ちドライブレーザによる照射に係るレーザ軸２３６上に稼働帯内ターゲット素材１０６ｆを位置決めしうる稼働帯を、その並進によって定めることができる。注入システム２３８は（図１に示した）気体供給システム１２４からターゲット素材１０６ｆを受け取るインジェクタ２３９を有しており、それには複数個のスプレイポート２４０ａ〜ｃが備わっている。３個のスプレイポート２４０ａ〜ｃが示されているが、ご理解頂けるように、用いるスプレイポートを３個超にしてもよいし１個まで少なくしてもよい。図示の通り、スプレイポート２４０ａ〜ｃが軸１４６ｆに対し平行な方向に沿い整列しているので、レーザ軸２３６に対しインジェクタ２３９を心揃えして動作させることで、プラズマ形成ターゲット素材１０６ｆからなりＨ＜ｈなるスプレイ高Ｈを有するスプレイ２４２を出射させること、ひいてはドライブレーザからの照射によりプラズマ形成ターゲット素材１０６ｆに形成されたクレータを補填することができる。より具体的には、見て取れるように、ハウジング１４２ｆの内面上にあり、円筒対称要素１４０ｆ上のターゲット素材１０６ｆと重なるある固定個所に、インジェクタ２３９を実装することができる。図示されている例示的実施形態では、レーザ軸上に心が揃ったスプレイ２４２をもたらすよう、インジェクタ２３９がハウジング１４２ｆ上に実装されている。円筒対称要素１４０ｆが軸１４６ｆに沿い並進すると、ターゲット素材１０６ｆで形成される稼働帯の別部分がスプレイ２４２からターゲット素材を受け取ることとなるので、稼働帯全体を被覆させることが可能である。
【００７９】
図１４及び図１５に、プラズマ形成ターゲット素材１０６ｇの層で覆われており軸１４６ｇ周りで可回動な円筒対称要素１４０ｇを有するシステム２４４を示す。図１４を図１５と比べることで見て取れるように、円筒対称要素１４０ｇは軸１４６ｇに沿い且つハウジング１４２ｇに対し並進可能であり、ターゲット素材１０６ｇで形成され帯高ｈを有する稼働帯、即ちドライブレーザによる照射に係るレーザ軸２３６ｇ上に稼働帯内ターゲット素材１０６ｇを位置決めしうる稼働帯を、その並進によって定めることができる。注入システム２３８ｇは（図１に示した）気体供給システム１２４からターゲット素材１０６ｇを受け取るインジェクタ２３９ｇを有しており、それには複数個のスプレイポート２４０ａ’〜ｆ’が備わっている。６個のスプレイポート２４０ａ’〜ｆ’が示されているが、ご理解頂けるように、用いるスプレイポートを３個超にしてもよいし１個まで少なくしてもよい。図示の通り、スプレイポート２４０ａ’〜ｆ’が軸１４６ｇに対し平行な方向に沿い整列しているので、プラズマ形成ターゲット素材１０６からなりスプレイ高Ｈを有するスプレイ２４２ｇをその動作により出射させること、ひいてはドライブレーザからの照射により円筒対称要素１４０ｇ上のプラズマ形成ターゲット素材１０６に形成されたクレータを補填することができる（即ち注入システム２３８ｇにより稼働帯の全長に沿い一気にスプレイすることができる）。更に、見て取れるように、ハウジング１４２ｇの内面上にあり、円筒対称要素１４０ｇ上のターゲット素材１０６ｇと重なるところに、インジェクタ２３９ｇを実装することができる。図１４及び図１５を比較することで見て取れるように、インジェクタ２３９ｇをハウジング１４２ｇに対し並進させることができ、またある実施形態によれば、そのインジェクタ２３９ｇの動きを円筒対称要素１４０ｇの軸沿い並進と同期させる（即ちインジェクタ２３９ｇ及び円筒対称要素１４０ｇが一緒に動きそれらインジェクタ２３９ｇ及び円筒対称要素１４０ｇが互いにいつも同じ位置となるようにする）ことができる。インジェクタ２３９ｇ及び円筒対称要素１４０ｇは、例えば、一緒に動くよう電子的に又は（例．共通ギアを用い）機械的に連結することが可能である。
【００８０】
図１６及び図１７に、プラズマ形成ターゲット素材１０６ｈの層で覆われており軸１４６ｈ周りで可回動な円筒対称要素１４０ｈを有するシステム２４６を示す。図１６を図１７と比べることで見て取れるように、円筒対称要素１４０ｈは軸１４６ｈに沿い且つハウジング１４２ｈに対し並進可能であり、ターゲット素材１０６ｈで形成され帯高ｈを有する稼働帯、即ちドライブレーザによる照射に係るレーザ軸２３６ｈ上に稼働帯内ターゲット素材１０６ｈを位置決めしうる稼働帯を、その並進により定めることができる。注入システム２３８ｈは（図１に示した）気体供給システム１２４からターゲット素材１０６ｈを受け取るインジェクタ２３９ｈを有しており、それには複数個のスプレイポート２４０ａ”〜ｄ”が備わっている。４個のスプレイポート２４０ａ”〜ｄ”が示されているが、ご理解頂けるように、用いるスプレイポートを４個超にしてもよいし２個まで少なくしてもよい。
【００８１】
同じく図１６及び図１７を参照することで見て取れるように、スプレイポート２４０ａ”〜ｄ”は軸１４６ｈに対し平行な方向に沿い整列している。やはり図示の通り、ハウジング１４２ｈの内面上にあり、円筒対称要素１４０ｈ上のターゲット素材１０６ｈと重なるある固定個所に、インジェクタ２３９ｈを実装することができる。ある実施形態によれば、図１６に示す如くインジェクタ２３９ｈをレーザ軸２３６ｈ上に芯揃えすることができる。本システム２４６には、アパーチャ２５０が形成されているプレート２４８をも設けることができる。図１６及び図１７を比べることで見て取れるように、その阻止プレート２４８（及びアパーチャ２５０）をハウジング１４２ｈに対し並進させることができ、またある実施形態によれば、そのプレート２４８の動きを円筒対称要素１４０ｈの軸沿い並進と同期させる（即ちプレート２４８及び円筒対称要素１４０ｈが一緒に動きそれらプレート２４８及び円筒対称要素１４０ｈが互いにいつも同じ位置となるようにする）ことができる。プレート２４８及び円筒対称要素１４０ｈは、例えば、一緒に動くよう電子的に又は（例．共通ギアを用い）機械的に連結することが可能である。より具体的には、プレート２４８及びアパーチャ２５０を軸１４６ｈに対し平行な方向に沿い並進させることで、スプレイポート２４０ａ”〜ｄ”を選択的に被覆及び暴露することができる。例えば、図１６から見て取れるように、スプレイポート２４０ａ”，ｂ”をプレート２４８により被覆しスプレイポート２４０ｃ”，ｄ”を暴露することで、プラズマ形成ターゲット素材１０６ｈからなりスプレイ高ｈを有するスプレイ２４２ｈをスプレイポート２４０ｃ”，ｄ”から出射させること、ひいてはドライブレーザからの照射により円筒対称要素１４０ｈ上のプラズマ形成ターゲット素材１０６ｈに形成されたクレータを補填することができる（即ち注入システム２３８ｈにより稼働帯の全長に沿い一気にスプレイすることができる）。これもまた図１６及び図１７から見て取れるように、プレート２４８、アパーチャ２５０及び円筒対称要素１４０ｈを並進させると（図１７参照）スプレイポート２４０ｃ”，ｄ”がプレート２４８により被覆されスプレイポート２４０ａ”，ｂ”が暴露されるので、（やはりスプレイ高Ｈを有し）プラズマ形成ターゲット素材１０６ｈからなるスプレイ２４２ｈをスプレイポート２４０ａ”，ｂ”から出射させることができる。
【００８２】
図１２〜図１７に示した最適化キセノン注入方式によりアイス成長／補充向けのキセノン消費を減らすことができ、またそれを用いることで、レーザによりターゲット素材アイス層に形成されたクレータを確と迅速に埋めることができる。
【００８３】
図１８に、プラズマ形成ターゲット素材１０６ｉの層で覆われていて軸１４６ｉ周りで可回動な円筒対称要素１４０ｉを有するシステム２５２を示す。円筒対称要素１４０ｉ上にプラズマ形成ターゲット素材１０６ｉを補充するサブシステム（例えば図１２〜図１７に示したシステムのうち一つ）を設けることができる。図１８、図１９及び図２０Ａを併せ参照することで読み取れるように、円筒対称要素１４０ｉ上のプラズマ形成ターゲット素材１０６ｉを削ぎ均一厚みのプラズマ形成ターゲット素材１０６ｉを築くよう、一対の鋸歯状ワイパ２５４ａ，２５４ｂを配置することができる。例えば、ワイパ２５４ａを先行ワイパ、ワイパ２５４ｂを後続ワイパとし、軸１４６ｉに対し先行ワイパのエッジの方が後続ワイパのエッジよりも僅かに近くなるようにすればよい。先行ワイパ２５４ａが、ポート２５５を介し付加された新規付加ターゲット素材（例．キセノン）に最初に接するワイパとなる。本願では２個のワイパ２５４ａ，２５４ｂが図示及び記述されているが、ご理解頂けるように、用いるワイパを２個超にしてもよいし１個まで少なくしてもよい。更に、図示の如く円筒対称要素１４０ｉの縁を巡りワイパを等間隔配置してもよいが、それ以外の配置（例．２個のワイパが互いのそばにあるもの）を採用してもかまわない。
【００８４】
個々の鋸歯状ワイパ、例えば図１８及び図２０に示す鋸歯状ワイパ２５４ａには、軸１４６ｉに対し平行な方向に沿い間隔配置及び軸沿い整列された態で３本の切歯２５６ａ〜ｃを設けることができる。本願では３本の歯２５６ａ〜ｃが図示及び記述されているが、ご理解頂けるように、用いる切歯を３本超にしてもよいし１本まで少なくしてもよい。図２０Ａに、歯２５６ｂ、すくい角２５７、逃げ角２５９及び逃げ２６１を示す。また、図２０Ｂから見て取れるように個々の歯２５６ａ〜ｃは長さＬを有している。大略、レーザパルスをターゲット素材１０６ｉに照射したとき生じるクレータよりも大きな長さＬを有することとなるよう歯２５６ａ〜ｃのサイズを定めることで、そのクレータを適切にカバーすることが可能となる。ある実施形態によれば、少なくとも２本の歯を有する鋸歯状ワイパであり、軸１４６ｉに対し平行な方向に沿った個々の歯の長さＬが、レーザパルスをターゲット素材１０６ｉに照射したとき生じるクレータの最大直径Ｄに対しＬ＞３＊Ｄとなるものを、用いることができる。鋸歯状ワイパなら円筒対称要素１４０ｉ及びシャフトに作用する荷重を軽減することができる。ある実施形態では、その総接触面積が、極力小さくなるよう且つシステムの最大剛性を上回らないよう定められる。本願出願人が実施した実験的計測で示されたところによれば、鋸歯状ワイパからの荷重は従来の非鋸歯状ワイパでのそれより５倍超（＞５ｘ）小さくすることができる。ある実施形態では、良好な機械的支持状態を確保し損傷を防ぐため歯の厚みを歯の長さより小さなサイズとし、歯同士の間隔よりも小さくなるようその長さを定める。ある実施形態では、キセノンアイスのうちレーザ照射を受けたエリア全体を、ターゲットが上下に並進する間に歯で削ぐことができるよう、ワイパが設計される。ワイパに更なる歯を設け、露出エリア外に所在するアイスに接触させることで、露出エリア外アイス蓄積を防ぐようにしてもよい。当該更なる歯は、キセノンアイスのうちレーザによる照射を受けたエリアを削ぐのに用いられる歯よりも、小さめにするとよい。
【００８５】
図１８に示すように、ワイパ２５４ａ，２５４ｂを対応するモジュール２５８ａ，ｂに実装すること、並びにそのモジュール２５８ａ，ｂでハウジング例えば図１に示したハウジング１４２のモジュール状可着脱部分を形成することができる。この構成によれば、ハウジング全体及び／又は他のハウジング関連部材例えば図１２〜図１７に示したインジェクタを必ずしも分解、除去することなく、モジュール２５８ａ，２５８ｂを外しワイパを交換することができる。そのハウジングモジュールの露出面上にアクセスポイントを有する調整ネジ２６０ａ，２６０ｂを用いワイパ２５４ａ，２５４ｂを対応するモジュール２５８ａ，ｂに実装することで、円筒対称要素１４０ｉを回動させ（真空条件下で）ターゲット素材１０６１により覆いつつ調整を行うことが可能となる。上述のモジュール状設計及び露出面アクセスポイントは非鋸歯状ワイパ（即ちその切削エッジが単一で連続的なワイパ）にも適用可能である。場合にもよるが、ハウジング・プラズマ形成ターゲット素材間ガスシールをワイパにより成立させること、ひいてはＬＰＰチャンバ内へのターゲット素材ガス放出を減らすことが可能である。ワイパによりキセノンアイスの厚みを制御できるだけでなく部分堰を形成することができ、円筒の非露出側に注入された補充キセノンのうちその円筒の周囲を流れ同円筒の露出側に脱するキセノンの量をその部分堰により減らすことができる。それらワイパは全長に亘る一定高さのワイパでも鋸歯状ワイパでもかまわない。いずれにしても、そのワイパマウント内でワイパ位置を調整することで、それらを円筒に対し適正位置に置くことができる。より具体的には、図１８に示すように、ワイパ２５４ａをターゲット素材補充ポート２５５の第１側、ポート２５５・ハウジング開口２２６ｉ間に配置することで、ハウジング開口２２６ｉを介したターゲット素材（例．キセノンガス）の漏れを防ぐことができ、ワイパ２５４ｂをターゲット素材補充ポート２５５の第２側（第１側とは逆の側）、ポート２５５・ハウジング開口２２６ｉ間に配置することで、ハウジング開口２２６ｉを介したターゲット素材（例．キセノンガス）の漏れを防ぐことができる。
【００８６】
図１９に、調整ネジ２６２ａ，２６２ｂを用いハウジング１４２ｊに可調装着されており鋸歯状又は非鋸歯状ワイパたりうるワイパ２５４を示す。図１９には、更に、ビーム２６６を光センサ２６８に送る発光器２６４を有し、ワイパエッジ２７０と円筒対称要素１４０ｊの回動軸（例．図１０中の軸１４６ｉ）との間の径方向距離を示す信号をライン２６９経由で光センサ２６８から出力させうる計測システムが、示されている。そのライン２６９により、例えば、図１に示した制御システム１２０との通信向けにこの計測システムを接続することができる。
【００８７】
図２１に、ハウジング１４２ｋに可調装着されており鋸歯状又は非鋸歯状ワイパたりうるワイパ２５４’を示す。図２１には、更に、ワイパエッジ２７０’と回動軸（例．図１０中の円筒対称要素１４０ｉの軸１４６ｉ）との間の径方向距離を調整する調整システムが示されている。図示の通り、この調整システムは、ライン２７９を介し受信した制御信号に応じワイパ２５４’を動かすアクチュエータ２７２（これは、例えば、リードスクリュ、ステッパモータ、サーボモータ等々のリニアアクチュエータとすることができる）を有している。ライン２７９により、例えば、図１に示した制御システム１２０との通信向けにこの調整システムを接続することができる。
【００８８】
図２２にワイパ実装システムが使用される諸工程を示す。図中のボックス２７６に示されているのは、厳格な公差を呈するよう製作されたマスタワイパを準備する工程である。次に、ボックス２７８に示すように、マスタワイパがワイパマウント内に実装され、その整列具合が例えば調整ネジを用い調整される。その上でそのネジ位置（例．回した回数）が記録される（ボックス２８０）。そして、そのマスタワイパが、標準的な（例．良好な）機械加工公差を呈するよう製作された稼働ワイパで以て置き換えられる（ボックス２８２）。
【００８９】
図２３に、プラズマ形成ターゲット素材１０６ｍの層で覆われていて軸１４６ｍ周りで可回動な円筒対称要素１４０ｍを有するシステム２８４を示す。円筒対称要素１４０ｍ上にプラズマ形成ターゲット素材１０６ｍを補充するサブシステム（例えば図１２〜図１７に示したシステムのうち一つ）を設けることができる。図２３には、更に、円筒対称要素１４０ｍ上のプラズマ形成ターゲット素材１０６ｍと接触するよう一対の柔順ワイパ２８６ａ，２８８ｂを配置しうること、ひいては比較的円滑な表面を有する均一厚みのプラズマ形成ターゲット素材１０６ｍを築けることが、示されている。より具体的には、図示の通り、円筒対称要素１４０ｍを挟みワイパ２８６ｂの位置とは径方向逆側にある個所に、ワイパ２８６ａを配置することができる。機能的には、これら加熱ワイパ２８６ａ，２８６ｂをそれぞれアイススケートの刃のように動作させ、局所的に圧力やアイス内に向かう熱流を増大させることができる。柔順ワイパの対向対を用いることで、円筒対称要素１４０ｍの二側面からの力が効果的に整合し、円筒対称要素１４０ｍに作用する総不均衡力が低減されることとなる。これにより軸受けシステム、例えば上述の空気軸受けシステムが損傷するリスクを減らすことができ、場合にもよるが第２軸受けたる端側軸受けの必要性を解消することができる。
【００９０】
図２４に、円筒対称要素１４０ｍに対するワイパ２８６ｂの湾曲を示す。具体的には、図示の通りワイパ２８６ｂが湾曲柔順面２８８を有しており、その形状が、ワイパ２８６ｂの中央部２９０にて円筒対称要素１４０ｍ上のターゲット素材１０６ｍと接触し、且つワイパ２８６ｂの端部２９２にて湾曲柔順面２８８と円筒対称要素１４０ｍ上のターゲット素材１０６ｍとの間にギャップが形成される形状となっている。柔順ワイパ２８６ｂの表面２８８を形成するのに用いる素材は、例えば、幾種類かある硬化性ステンレス鋼、チタン及びチタン合金のうち一つとすることができる。
【００９１】
図２５Ａ〜図２５Ｃはターゲット素材１０６ｍの成長を示す図であり、図２５Ａに示す初期成長状態では柔順ワイパ２８６ｂに接触していない。その後、図２５ｂに示すように、ターゲット素材１０６ｍは成長が進んでワイパ２８６ｂに初期接触する。更にその後は、ターゲット素材１０６ｍの更なる成長によりそのターゲット素材１０６ｍがワイパ表面と接触して弾性変形し、平衡状態に達するまでそのターゲット素材層が押し戻され、その時点でワイパからの圧力により層素材が局所的に融け、再流動して均一面が形成される。言い換えれば、湾曲ワイパは撓ませることが可能であり、撓むとキセノンアイスの厚みが増し、キセノンアイスの円筒上にワイパが及ぼす力とキセノンアイスの補充により引き起こされた力との間で平衡に達したときにその撓みが止まる。それら湾曲ワイパを対象にサーボ機能を用いることで、ワイパの温度制御に対処することができる。例えば、カメラを設けてアイス厚みを監視すること、個々のワイパにヒータ及び温度センサを組み込むこと、並びに温度を固定値に保持し平衡厚みのキセノンアイスを築くことができる。
【００９２】
図２６に、ワイパ２８６ｂを可制御的に加熱するためのヒータカートリッジ２９４及び熱電対２９６を柔順ワイパ２８６ｂに設けうることを示す。例えば、図１に示した制御システム１２０との通信向けにヒータカートリッジ２９４及び熱電対２９６を接続すること、ひいてはワイパ２８６ｂを指定温度に保つことができる。
【００９３】
光源照明は半導体処理アプリケーション、例えば検査、フォトリソグラフィ又は計量用に用いることができる。例えば、図２７に示すように、本願記載のターゲット送給システムのうち１個を有する光源例えば上述の光源１００が組み込まれた照明源３０２を、検査システム３００に設けることができる。更に、半導体ウェハ、ブランクマスク又はパターニング済マスク等、少なくとも１個のサンプル３０４を支持するよう構成されたステージ３０６を、その検査システム３００に設けることができる。照明源３０２は照明路を介しサンプル３０４を照明するよう構成することができ、またそのサンプル３０４にて反射、散乱又は輻射された照明をイメージング路に沿い少なくとも１個の検出器３１０（例．カメラ又はフォトセンサアレイ）へと差し向けることができる。その検出器３１０が可通信結合されている情報処理システム３１２は、検出された照明信号に係る信号を、非一時的キャリア媒体３１４上にあり情報処理システム３１２のプロセッサにより実行可能なプログラム命令３１６に埋め込まれている検査アルゴリズムに従い処理することで、サンプル３０４が有している１個又は複数個の欠陥の所在を特定し及び／又はその欠陥の諸属性を計測するよう、構成することができる。
【００９４】
更なる例として、図２８に、本願記載のターゲット送給システムのうち１個を有する光源例えば上述の光源１００が組み込まれた照明源４０２を有するフォトリソグラフィシステム４００のあらましを示す。このフォトリソグラフィシステムには、リソグラフィ処理に備え少なくとも１枚の基板４０４例えば半導体ウェハを支持するよう構成されたステージ４０６を、設けることができる。照明源４０２は、自照明源４０２により出射される照明で以て、基板４０４上にて或いはその基板４０４上に位置する層上にてフォトリソグラフィを実行するよう、構成することができる。例えば、その出射照明をレティクル４０８に差し向け、そのレティクル４０８から基板４０４へと差し向けることで、基板４０４の表面又はその基板４０４の層を、照明されているレティクルのパターンに従いパターニングすることができる。図２７及び図２８に示した例示的実施形態は総じて上述した光源の用途を示すものであるが、いわゆる当業者には明らかな通り、それら光源は本件開示の技術的範囲から離隔することなく様々な状況に適用することができる。
【００９５】
更に、いわゆる当業者にはご承知頂けるように、本願記載のプロセス及び／又はシステム及び／又はその他のテクノロジを実行可能な手段は種々あるし（例．ハードウェア、ソフトウェア及び／又はファームウェア）、どの手段が相応しいかは当該プロセス及び／又はシステム及び／又はその他のテクノロジが利用される状況によって変わるであろう。幾つかの実施形態では、諸ステップ、機能及び／又は動作が、電子回路、論理ゲート、マルチプレクサ、プログラマブル論理デバイス、ＡＳＩＣ、アナログ又はディジタルコントローラ／スイッチ、マイクロコントローラ及び情報処理システムのうち１個又は複数個により実行される。情報処理システムには、これに限られるものではないが、パーソナル情報処理システム、メインフレーム情報処理システム、ワークステーション、イメージコンピュータ、並列プロセッサその他、本件技術分野で既知なあらゆる装置が包括されうる。一般に、語「情報処理システム」は、キャリア媒体から得た命令を実行するプロセッサを１個又は複数個有するデバイス全てが包括されるよう、広く定義することができる。方法例えば本願記載のそれを実行するためのプログラム命令をキャリア媒体上で伝送することが可能である。キャリア媒体としうるものとしては伝送媒体、例えばワイヤ、ケーブル又は無線伝送リンクがある。キャリア媒体としうるものとしては格納媒体、例えばリードオンリメモリ、ランダムアクセスメモリ、磁気ディスク、光ディスク又は磁気テープもある。
【００９６】
本願記載の方法は、皆、それら方法実施形態を構成する１個又は複数個のステップの結果を格納媒体に格納するステップを、有するものとすることができる。それら結果が本願記載のどの実行結果を含んでいてもよいし、本件技術分野で既知ないずれの要領でその結果が格納されるのでもよい。その格納媒体には本願記載のあらゆる格納媒体が、また本件技術分野において既知で好適な他のあらゆる格納媒体が包含されうる。結果格納後は、その格納媒体内の結果にアクセスすること、並びにそれを本願記載の方法又はシステム実施形態のうち任意のもので用いること、ユーザへの表示向けにフォーマットすること、他のソフトウェアモジュール、方法又はシステムで用いること等々ができる。更に、それら結果の格納は、「恒久的」なもの、「半恒久的」なもの、一時的なもの、或いは一定期間に亘るもののいずれでもよい。例えば、その格納媒体がランダムアクセスメモリ（ＲＡＭ）であってもよいし、結果がその格納媒体内に必ずしも永久には存在しないのでもかまわない。
【００９７】
本発明の格別な諸実施形態を示してきたが、明らかな通り、いわゆる当業者であれば、以上の開示の技術的範囲及び神髄から離隔することなく本発明につき様々な修正及び実施形態を実現することができよう。従って、本発明の技術的範囲は本明細書に添付する特許請求の範囲によってのみ限定されるべきである。
【図１】
2019501413.tif 000003
【図２】
2019501413.tif 000004
【図３】
2019501413.tif 000005
【図４】
2019501413.tif 000006
【図５】
2019501413.tif 000007
【図６】
2019501413.tif 000008
【図７】
2019501413.tif 000009
【図８】
2019501413.tif 000010
【図９】
2019501413.tif 000011
【図１０】
2019501413.tif 000012
【図１１】
2019501413.tif 000013
【図１２】
2019501413.tif 000014
【図１３】
2019501413.tif 000015
【図１４】
2019501413.tif 000016
【図１５】
2019501413.tif 000017
【図１６】
2019501413.tif 000018
【図１７】
2019501413.tif 000019
【図１８】
2019501413.tif 000020
【図１９】
2019501413.tif 000021
【図１９Ａ】
2019501413.tif 000022
【図２０】
2019501413.tif 000023
【図２１】
2019501413.tif 000024
【図２２】
2019501413.tif 000025
【図２３】
2019501413.tif 000026
【図２４】
2019501413.tif 000027
【図２５Ａ】
2019501413.tif 000028
【図２５Ｂ】
2019501413.tif 000029
【図２５Ｃ】
2019501413.tif 000030
【図２６】
2019501413.tif 000031
【図２７】
2019501413.tif 000032
【図２８】
2019501413.tif 000033
【国際調査報告】
2019501413.tif 000034
2019501413.tif 000035